(57)【特許請求の範囲】
【請求項１】
陽極部と陰極部とを有するコンデンサ素子を複数具え、該複数のコンデンサ素子が、前記陽極部同士及び前記陰極部同士が互いに隣り合うように並んで配列され、前記陰極部に陰極リードフレームが接続され、前記複数のコンデンサ素子を覆う外装樹脂を有する固体電解コンデンサにおいて、
隣り合った前記コンデンサ素子の間は隙間を有し、
前記陰極リードフレームは、前記複数のコンデンサ素子が搭載される下面部と、前記下面部と略垂直な側面部と、前記側面部と略垂直であり且つ前記下面部と略平行な上面部と、を有し、
前記複数のコンデンサ素子の前記陰極部は、前記下面部、前記上面部及び前記側面部に接続され、
前記上面部は、第１充填部を有し、
前記側面部は、第２充填部を有し、
前記第１充填部及び前記第２充填部は前記隙間に対向する箇所に配置され、
前記第１充填部及び前記第２充填部には、前記外装樹脂が充填されていることを特徴とする固体電解コンデンサ。
【請求項２】
前記下面部は、平板状の形状を有すると共に、
前記下面部は、前記複数のコンデンサ素子が搭載される面である第１の面と、前記第１の面と略平行な面である第２の面とを有し、
前記第２の面は、前記固体電解コンデンサの下面において前記外装樹脂から露出していることを特徴とする請求項１に記載の固体電解コンデンサ。
【請求項３】
前記陰極部は、陽極体の周面に形成され、前記陽極部は、前記陽極体に植立している陽極リードからなる固体電解コンデンサにおいて、
前記陽極体の前記陽極リードが植立されている面において、前記陰極リードフレームと前記陰極部が接続されている面と前記陽極リードとの距離が、前記陰極リードフレームと前記陰極部が接続されていない面と前記陽極リードとの距離より小さいことを特徴とする請求項１または２に記載の固体電解コンデンサ。
【請求項４】
陽極部と陰極部とを有するコンデンサ素子を複数具え、該複数のコンデンサ素子が、前記陽極部同士及び前記陰極部同士が互いに隣り合うように並んで配列され、前記陰極部に陰極リードフレームが接続され、前記複数のコンデンサ素子を覆う外装樹脂を有する固体電解コンデンサにおいて、
前記陰極リードフレームは、端子部と側板とを有し、
前記端子部は、前記固体電解コンデンサの下面と略平行な第１の面を有し、
前記側板は第１側板と第２側板とを有し、
前記第１側板は、前記第１の面に略垂直であり、且つ隣り合った前記コンデンサ素子の間の隙間に配され、
前記第２側板は、前記第１の面に略垂直であり、前記第１側板と略平行であって、且つ前記端子部の端部側に配され、
前記複数のコンデンサ素子の前記陰極部は、前記端子部の前記第１の面及び前記側板に接続されていることを特徴とする固体電解コンデンサ。
【請求項５】
前記陰極部は、陽極体の周面に形成され、前記陽極部は、前記陽極体に植立している陽極リードからなる固体電解コンデンサにおいて、
前記陽極体の前記陽極リードが植立されている面において、前記陰極部の、対向する双方の面が互いに前記陰極部が接続されている面と前記陽極リードとの距離が、前記陰極リードフレームと前記陰極部が接続されていない面と前記陽極リードとの距離より小さいことを特徴とする請求項４に記載の固体電解コンデンサ。
【請求項６】
請求項１乃至３のいずれかに記載の固体電解コンデンサの製造方法において、
前記陰極リードフレームは平板状からなり、該平板状リードフレームに矩形の切り込みをいれ、該切り込みの内側に前記コンデンサ素子を載置し、前記切り込みの外側を前記陰極部の周面に沿って折り曲げて接続することを特徴とする固体電解コンデンサの製造方法。
【発明の詳細な説明】
【技術分野】
【０００１】
本発明は、複数のコンデンサ素子が陽極リードが同一方向にくるように並列に並べてなる固体電解コンデンサに関する。
【背景技術】
【０００２】
従来のチップ型固体電解コンデンサとしては、弁作用金属からなる焼結体の表面に誘電体皮膜、陰極層、陰極引出層を順次形成してなるコンデンサ素子の陰極引出層の一部と陰極リードフレームを、前記焼結体に接続された陽極リードと陽極リードフレームを夫々電気的・機械的に接続した後、前記陽極リードフレームと前記陰極リードフレームの一部を残して前記コンデンサ素子を外装樹脂で被覆し、該外装樹脂で被覆されていない前記陽極リードフレームと前記陰極リードフレームを、前記外装樹脂に沿って折り曲げ加工したものが知られている。
【０００３】
一方、近年の電子機器の高周波化に対応して固体電解コンデンサにおいても高周波性能の良好なものが望まれているが、上述のような焼結体を用いた固体電解コンデンサの場合、焼結体の強度を維持するために焼結体の厚みをある程度厚くする必要があり、このため良好な高周波特性を得ることができなかった。
【０００４】
上記の問題を解決するため、図１２に示すように、複数のコンデンサ素子１を陽極リードが同一方向に向くように並列に隙間なく載置し、前記複数のコンデンサ素子１の陰極引出層と陰極リードフレーム３を、前記陽極リードと陽極リードフレーム２とを夫々接続してなる固体電解コンデンサの構造が提案された。（例えば特許文献１）
しかし、図１２の構造では漏れ電流特性が良好でなく、漏れ電流特性の改善が求められた。この要求に応えるため、図１３に示すように、複数のコンデンサ素子の陰極層を樹脂や導電ペースト等の固定層６を用いて固定する方法が提案されている。（例えば特許文献２）
【特許文献１】特開平０５−２３４８２９号公報。
【特許文献２】特開２００５−９３９９４号公報。
【発明の開示】
【発明が解決しようとする課題】
【０００５】
しかしながら図１２および図１３のような構造は、陰極層と陰極リードフレームとの接触面積が限られており、コンデンサのＥＳＲ（等価直列抵抗）効果が十分でなかった。
【課題を解決するための手段】
【０００６】
陽極部と陰極部とを有するコンデンサ素子を複数具え、隣り合う該複数のコンデンサ素子が、前記陽極部同士及び前記陰極部同士が互いに隣接するよう並列に配置され、前記陰極部と陰極リードフレームが接続されている固体電解コンデンサにおいて、前記陰極部は、前記陽極部と前記陰極部が連なる方向に略垂直な面を含む少なくとも３つの面で前記陰極リードフレームと接続されており、前記陽極部と前記陰極部が連なる方向に略垂直な面において、前記陰極リードフレームは充填部を有し、該充填部には外装樹脂が充填されていることを特徴とする。
【０００７】
上記の構造とすることにより、陰極リードフレームは、コンデンサ素子と多数の面に亘って接続することができ、コンデンサのＥＳＲを低減することができる。また、前記陰極リードフレームには充填部があり、該充填部には外装樹脂が充填されているので、コンデンサ素子と外装樹脂との密着性が向上する。
【０００８】
また、本発明の固体電解コンデンサにおいて、前記陰極リードフレームは、前記陽極部と前記陰極部が連なる方向に略平行で、且つ前記陽極部と前記陰極部が連なる方向に略垂直な面に連なる面について、充填部を有し、該充填部には外装樹脂が充填されていてもよい。このような構造とすることで、固体電解コンデンサのＥＳＲを増大させることなく、コンデンサ素子と外装樹脂との密着性を向上させることができる。
【０００９】
さらに、前記固体電解コンデンサにおいて、前記陰極部は、陽極体の周面に形成され、前記陽極部は、前記陽極体に植立している陽極リードからなり、前記陽極体の前記陽極リードが植立されている面において、前記陰極リードフレームと前記陰極部が接続されている面と前記陽極リードとの距離が、前記陰極リードフレームと前記陰極部が接続されていない面と前記陽極リードとの距離より小さいことが望ましい。陽極リードと陰極リードフレームとの距離が小さい方がコンデンサのＥＳＲ低減効果が大きい。
【００１０】
上記構造の固体電解コンデンサの製造方法において、前記陰極リードフレームは平板状からなり、該平板状リードフレームに切り込みをいれ、該切り込みの内側に前記コンデンサ素子を載置し、前記切り込みの外側を前記陰極部の周面に沿って折り曲げて接続することを特徴とする。
【００１１】
上述のようにして作製された固体電解コンデンサは、陰極リードフレームと陰極部との接触箇所が大きく、さらに、前記陰極リードフレームは、接合箇所のない一体物からなるため、導電性ペースト等を介して別の金属端子と接続する場合に比べ集電性がよく、著しいコンデンサのＥＳＲ低減効果が期待できる。
【００１２】
本発明の、別の形態の固体電解コンデンサは、陽極部と陰極部とを有するコンデンサ素子を複数具え、隣り合う該複数のコンデンサ素子が、前記陽極部同士及び前記陰極部同士が互いに隣接するように並列に配置され、前記陰極部と陰極リードフレームが接続されている固体電解コンデンサにおいて、前記陰極部は、前記陽極部と前記陰極部が連なる方向と略平行な面のうち少なくとも３つの面で、前記陰極リードフレームと接続されていることを特徴とする。
【００１３】
上記のような構造とすることで、コンデンサ素子の表面の多数の面に亘って陰極リードフレームが接続されているので、固体電解コンデンサの低ＥＳＲ化を図ることができる。
【発明の効果】
【００１４】
本発明の構造を採用することで、陰極部と陰極リードフレームとが、コンデンサ素子の多数の面に亘って接続されているので、固体電解コンデンサのＥＳＲを低減することができる。また、陰極リードフレームの少なくとも一部には充填部が具わっており、該充填部には樹脂が入り込んでいるため、コンデンサ素子と外装樹脂との密着性の向上を図ることができる。
【発明を実施するための最良の形態】
【００１５】
本発明を実施するための最良の形態について、図を用いて説明する。
（実施形態１）
図１は、本発明の第１実施形態の固体電解コンデンサの上面透視図であり、図２は、図１の固体電解コンデンサをＸ方向から見た透視図（ａ）及びＹ方向から見た透視図（ｂ）であり、図３は、図１のコンデンサ素子と陰極リードフレームの配置関係をＺ方向から見た図（ａ）及びＸ方向から見た図（ｂ）である。
【００１６】
本発明の固体電解コンデンサは、陽極部１と陰極部２からなるコンデンサ素子と、陰極リードフレーム３及び陽極リードフレーム４を具えており、コンデンサ素子の周面が外装樹脂５にて被覆されている。該陰極リードフレーム３は、その上にコンデンサ素子を載置する下面部３１と、該下面部３１と略垂直な側面部３２と、該側面部３２と略垂直で前記下面部と略平行な上面部３３を有し、下面部３１、側面部３２、上面部３３は、コンデンサ素子の陰極部２の下面、側面、上面と各々接続されている。また、側面部３２及び上面部３３は、充填部３２ａ、３３ａを夫々有しており、該充填部３２ａ、３３ａには、外装樹脂５が充填されている。
【００１７】
前記陰極リードフレーム３は、側面部３２から連なる端子部３４を有し、該端子部３４は外装樹脂５から露出し、該外装樹脂５に沿って折り曲げられている。
【００１８】
図３（ａ）に示すように、陽極部１の中心から下面部３１及び上面部３３までの距離ｍは、陽極部１の中心から陰極リードフレーム３と接しない陰極部４の側面までの距離ｎよりも小さくなっている。
（実施形態２）
図４は、本発明の第２実施形態の固体電解コンデンサの上面透視図であり、図５は、図４の固体電解コンデンサをＸ方向から見た透視図（ａ）及びＹ方向から見た透視図（ｂ）であり、図６は、図４のコンデンサ素子と陰極リードフレームの配置関係をＺ方向から見た図（ａ）及びＸ方向から見た図（ｂ）である。
【００１９】
実施形態２の固体電解コンデンサは、陽極部１と陰極部２からなるコンデンサ素子と、陰極リードフレーム３及び陽極リードフレーム４を具えており、コンデンサ素子の周面は、外装樹脂５で被覆されている。前記陰極リードフレーム３は、その上にコンデンサ素子を載置する下面部３１と、該下面部３１に略垂直な側面部３２と、該側面部３２に略垂直で下面部３１と略平行な上面部３３を有しており、下面部３１、側面部３２、上面部３３は、コンデンサ素子の陰極部２の下面、側面、上面と各々接続されている。また、側面部３２は、充填部３２ａを有しており、該充填部３２ａには外装樹脂５が充填されている。
【００２０】
この固体電解コンデンサにおいて、コンデンサ素子の陽極部１の中心と、陰極リードフレーム３の下面部３１及び上面部３３との距離ｍは、陽極部１の中心と陰極リードフレーム３と接触していない陰極部２の側面との距離ｎよりも小さくなっている。
【００２１】
次に、実施形態２の固体電解コンデンサの製造方法について説明する。
【００２２】
従来周知の方法で形成した陽極部１及び陰極部２からなるコンデンサ素子を、図７に示すリードフレームの陽極リードフレーム４上に陽極部１、陰極リードフレーム３上に陰極部２がくるように陽極部１と陽極リードフレーム４、陰極部２と陰極リードフレーム３を夫々既知の手法で接続する。この際、前記陰極部２は、前記陰極リードフレーム３の下面部３１上に載置する。また、コンデンサ素子の陽極部１の中心と陰極リードフレーム３と陰極部２が接続される面との距離が、前記陽極部１の中心と陰極リードフレーム３と接続されていない前記陰極部の面との距離よりも小さくなるように、コンデンサ素子をリードフレーム上に配置する。
【００２３】
ここで、陰極リードフレーム３は、図７に示すように一部に切り込みを有しており、該切り込みの内側が下面部３１、外側が側面部３２となっている。該側面部３２に連なり陽極リードフレーム４に対向する側に上面部３３を有している。前記下面部３１を残して側面部３２及び上面部３３を立ち上げ、さらに上面部３３のみ折り曲げて、側面部３２と陰極部２の側面、及び上面部３３と陰極部２の上面を夫々周知の方法により接続する。また、この陰極リードフレーム３の切り込み部を上面部３３側まで延在させると、上述の実施形態１に用いられる陰極リードフレーム３になり、実施形態１の場合も同様な手法でコンデンサ素子と陽極リードフレーム４及び陰極リードフレーム３を接続することができる。
【００２４】
上記のようにして陽極リードフレーム４及び陰極リードフレーム３とコンデンサ素子を接続した後、コンデンサ素子の周面を従来公知の技術を用いて外装樹脂５で被覆して固体電解コンデンサを作製する。
（実施形態３）
図８は、本発明の別の実施形態の上面透視図であり、図９は、図８の固体電解コンデンサをＸ方向からみた透視図（ａ）及びＹ方向から見た透視図（ｂ）であり、図１０は、図８のコンデンサ素子と陰極リードフレームの配置関係を図８のＺ方向（ａ）及びＸ方向（ｂ）から見た図である。
【００２５】
実施形態３の固体電解コンデンサは、陽極部１及び陰極部２からなるコンデンサ素子を複数個と、陽極リードフレーム４及び陰極リードフレーム３を具え、コンデンサ素子の周囲は外装樹脂５で覆われている。ここで、陰極リードフレーム３は、図１１に示すように側板３５と端子部３４を備えており、側板３５間の距離は、コンデンサ素子の幅と略同等になるよう配置されている。該端子部３４の下面及び陽極リードフレーム４の下面は、外装樹脂５から露出している。前記側板３５の両端は、端子部３４と略同一平面であり、該端子部３４に連なっているものを略垂直に立ち上げたものであるが、元々立ち上がっている形状のものを用いることも可能である。
【００２６】
上記固体電解コンデンサにおいて、コンデンサ素子の陽極部１の中心と側板３５との距離は、陽極部１の中心と端子部３４との距離より小さくなっている。
【００２７】
実施形態３の固体電解コンデンサについて、以下に製造方法を示す。
【００２８】
従来既知の方法によって作製された陽極部１及び陰極部２を具えたコンデンサ素子を陽極リードフレーム４及び陰極リードフレーム３とを接続する。陰極リードフレーム３として、図１１に示すような陰極リードフレーム３を用いる。具体的には、コンデンサ素子の陽極部１が陽極リードフレーム４上に、陰極部２が陰極リードフレーム４の側板３５間端子部３４上にくるように、公知の方法で接続する。ここで、コンデンサ素子の陰極部２と陰極リードフレーム３の端子部３４を先に接続した後、コンデンサ素子の幅に合わせて側板３５を立ち上げ、接続してもよい。前記側板３５と前記陰極部２とは、導電性ペースト等を介して接続される。
【００２９】
上記のようにしてコンデンサ素子と陽極リードフレーム４及び陰極リードフレーム３を接続した後、陽極リードフレーム４の下面及び陰極リードフレーム３の下面を残して外装樹脂５で被覆して固体電解コンデンサが完成する。
上記実施の形態は、本発明を説明するためのものに過ぎず、特許請求の範囲に記載の発明を限定する様に解すべきでない。本発明は、特許請求の範囲内及び均等の意味の範囲内で自由に変更することができる。例えば実施形態２において、陽極リードフレーム４を平板状とし、導電性部材を介してコンデンサ素子の陽極１と陽極リードフレーム４を接続することも可能である。また、すべての実施形態において、コンデンサ素子が箔状のものか成っていてもよし、コンデンサ素子の数は複数であれば特に限定されず、必ずしも２つである必要はない。
【図面の簡単な説明】
【００３０】
【図１】本発明の実施形態１の固体電解コンデンサの上面透視図である。
【図２】図１の固体電解コンデンサをＸ及びＹ方向から見たときの透視図である。
【図３】図１のコンデンサ素子と陰極リードフレームとの配置関係をＺ及びＸ方向から見たときの図である。
【図４】本発明の実施形態２の固体電解コンデンサの上面透視図である。
【図５】図４の固体電解コンデンサをＸ及びＹ方向から見たときの透視図である。
【図６】図４のコンデンサ素子と陰極リードフレームとの配置関係をＺ及びＸ方向から見たときの透視図である。
【図７】図４の固体電解コンデンサに用いられるリードフレームの平面図である。
【図８】本発明の実施形態３の固体電解コンデンサの上面透視図である。
【図９】図８の固体電解コンデンサをＸ及びＹ方向から見たときの透視図である。
【図１０】図８のコンデンサ素子と陰極リードフレームとの配置関係をＺ及びＸ方向から見たときの図である。
【図１１】図８の固体電解コンデンサに用いられる陰極リードフレームの斜視図である。
【図１２】従来の固体電解コンデンサの斜視透視図である。
【図１３】従来の別の固体電解コンデンサの斜視透視図である。
【符号の説明】
【００３１】
・  陽極部
・  陰極部
・  陰極リードフレーム
・  陽極リードフレーム
・  外装樹脂
・  固定層
【図１】
0005057926.tif 000002
【図２】
0005057926.tif 000003
【図３】
0005057926.tif 000004
【図４】
0005057926.tif 000005
【図５】
0005057926.tif 000006
【図６】
0005057926.tif 000007
【図７】
0005057926.tif 000008
【図８】
0005057926.tif 000009
【図９】
0005057926.tif 000010
【図１０】
0005057926.tif 000011
【図１１】
0005057926.tif 000012
【図１２】
0005057926.tif 000013
【図１３】
0005057926.tif 000014